【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ワイヤレス電力伝達システムの一部として電力をワイヤレスに送信するか、またはワイヤレスに受信するように構成された電気デバイスであって、
少なくとも１つのオリフィスを含む強磁性材料であって、前記少なくとも１つのオリフィスの少なくとも１つの部分が前記強磁性材料内の磁束の方向と平行に並び、前記磁束が誘導電力伝達に使用される、強磁性材料と、
前記強磁性材料の第１の側面上の第１の領域から、前記強磁性材料の第２の側面上の第２の領域まで前記強磁性材料の前記少なくとも１つのオリフィスを貫通して延びる第１の電気導管であって、前記第２の側面は前記第１の側面とは反対側にあり、前記第１の領域と前記第２の領域との間で前記第１の電気導管に沿って流れる第１の交流を有するように構成される第１の電気導管と、
前記強磁性材料の前記第１の側面上の前記第１の領域から、前記強磁性材料の前記第２の側面上の前記第２の領域まで延びる第２の電気導管であって、前記第１の領域と前記第２の領域との間で前記第２の電気導管に沿って流れる第２の交流を有するように構成される第２の電気導管と
を含み、
前記第１の電気導管および前記第２の電気導管がどちらも、前記少なくとも１つのオリフィスの切れ目のない単一のオリフィスを貫通して延び、前記切れ目のない単一のオリフィスは、各々が前記第１の電気導管および前記第２の電気導管のうちの一方を含む、２つの第１の部分と、前記２つの第１の部分間に延びる第２の部分とを含むか、
または、前記第２の電気導管が前記強磁性材料を貫通しては延びず、前記少なくとも１つのオリフィスが、前記第１の電気導管を含む細長いオリフィスを含み、前記細長いオリフィスが、前記第１の電気導管と前記強磁性材料のエッジとの間の前記強磁性材料にわたって延びる、
電気デバイス。
【請求項２】
前記電気デバイスが、ワイヤレス送信機、ワイヤレス受信機、またはその両方を含む、請求項１に記載の電気デバイス。
【請求項３】
前記少なくとも１つのオリフィスが空隙を含むか、
前記少なくとも１つのオリフィスが非強磁性材料を含むか、
前記少なくとも１つのオリフィスが、前記第１の交流および前記第２の交流のうちの少なくとも一方によって生成される前記強磁性材料内の円周方向の磁束を遮断するように構成されるか、
前記第１の交流および前記第２の交流が、互いに逆位相を有し、同じ大きさを有するか、または、
前記第２の電気導管が、前記強磁性材料を貫通しては延びない、
請求項１に記載の電気デバイス。
【請求項４】
前記第１および第２の電気導管ならびに前記少なくとも１つのオリフィスが、前記第１の交流および前記第２の交流のうちの少なくとも一方によって生成される前記強磁性材料内の円周方向の磁束を遮断しながら、前記強磁性材料内の前記磁束の破壊を低減するように構成される、請求項１に記載の電気デバイス。
【請求項５】
前記少なくとも１つのオリフィスが、前記電気デバイスの動作に明らかには寄与しない前記強磁性材料の一部分内に形成される、請求項４に記載の電気デバイス。
【請求項６】
前記第１の電気導管および前記第２の電気導管がどちらも、前記少なくとも１つのオリフィスの前記切れ目のない単一のオリフィスを貫通して延びる、請求項１に記載の電気デバイス。
【請求項７】
前記オリフィスの前記第２の部分が、ほぼ直線状であり、前記強磁性材料内の磁束の方向とほぼ平行な方向に延びる、請求項６に記載の電気デバイス。
【請求項８】
前記細長いオリフィスが、前記第１の電気導管を含む第１の部分と、前記第１の部分から前記強磁性材料の前記エッジまで延びる第２の部分とを含む、請求項１に記載の電気デバイス。
【請求項９】
前記細長いオリフィスの前記第２の部分が、前記強磁性材料内の前記磁束の前記方向にほぼ平行な前記方向に延びる、請求項８に記載の電気デバイス。
【請求項１０】
ワイヤレス電力伝達システムの電気デバイスであって、
磁束を導くための手段を含む、電力をワイヤレスに送信するか、またはワイヤレスに受信するための手段であって、磁束を導くための前記手段は少なくとも１つのオリフィスを含み、前記少なくとも１つのオリフィスの少なくとも１つの部分が磁束を導くための前記手段内の磁束の方向と平行に並び、前記磁束が誘導電力伝達に使用される、手段と、
第１の交流を導通させるための第１の手段であって、前記第１の導通手段は、磁束を導くための前記手段の第１の側面の第１の領域から、磁束を導くための前記手段の第２の側面上の第２の領域まで磁束を導くための前記手段の前記少なくとも１つのオリフィスを貫通して延び、前記第２の側面は前記第１の側面とは反対側にあり、前記第１の導通手段は、前記第１の領域と前記第２の領域との間で前記第１の導通手段に沿って流れる前記第１の交流を有するように構成される、手段と、
第２の交流を導通させるための第２の手段であって、前記第２の導通手段が、磁束を導くための前記手段の前記第１の側面の前記第１の領域から、磁束を導くための前記手段の前記第２の側面上の前記第２の領域まで延び、前記第２の導通手段が、前記第１の領域と前記第２の領域との間で前記第２の導通手段に沿って流れる前記第２の交流を有するように構成される、手段と
を含み、
前記第１の導通手段および前記第２の導通手段がどちらも、前記少なくとも１つのオリフィスの切れ目のない単一のオリフィスを貫通して延び、前記切れ目のない単一のオリフィスは、各々が前記第１の導通手段および前記第２の導通手段のうちの一方を含む、２つの第１の部分と、前記２つの第１の部分間に延びる第２の部分とを含むか、
または、前記第２の導通手段が磁束を導くための前記手段を貫通しては延びず、前記少なくとも１つのオリフィスが、前記第１の導通手段を含む細長いオリフィスを含み、前記細長いオリフィスが、前記第１の導通手段と磁束を導くための前記手段のエッジとの間の磁束を導くための前記手段にわたって延びる、
電気デバイス。
【請求項１１】
前記切れ目のない単一のオリフィスの前記第２の部分が、前記２つの第１の部分のいずれかよりも狭い幅を有する、請求項１または１０に記載の電気デバイス。
【請求項１２】
電力をワイヤレスに送信するか、またはワイヤレスに受信する方法であって、
強磁性材料の第１の側面上の第１の領域から、前記強磁性材料の第２の側面上の第２の領域まで前記強磁性材料を貫通して延びる少なくとも１つのオリフィスを貫通させて第１の交流を導通させるステップであって、前記第２の側面は前記第１の側面とは反対側にあり、前記少なくとも１つのオリフィスの少なくとも１つの部分が、前記強磁性材料内の磁束の方向と平行に並び、前記磁束が誘導電力伝達に使用される、ステップと、
前記強磁性材料の前記第１の側面上の前記第１の領域から、前記強磁性材料の前記第２の側面上の前記第２の領域まで第２の交流を導通させるステップと、
前記強磁性材料を含むデバイスを介して電力をワイヤレスに送信するか、またはワイヤレスに受信するステップと
を含み、
前記第１の交流および前記第２の交流がどちらも、前記少なくとも１つのオリフィスの切れ目のない単一のオリフィスを貫通して導通し、前記切れ目のない単一のオリフィスは、各々が前記第１の交流および前記第２の交流のうちの一方を含む、２つの第１の部分と、前記２つの第１の部分間に延びる第２の部分とを含むか、
または、前記第２の交流が前記強磁性材料を貫通しては導通せず、前記少なくとも１つのオリフィスが、第１の電気導管を含む細長いオリフィスを含み、前記細長いオリフィスが、前記強磁性材料内の前記磁束の前記方向にほぼ平行な前記方向に、前記第１の電気導管と前記強磁性材料のエッジとの間の前記強磁性材料にわたって延びる、
方法。
【請求項１３】
ワイヤレス電力伝達システムの一部として電力をワイヤレスに送信するか、またはワイヤレスに受信するように構成された電気デバイスを作製する方法であって、
少なくとも１つのオリフィスを含む強磁性材料を提供するステップであって、前記少なくとも１つのオリフィスの少なくとも１つの部分が前記強磁性材料内の磁束の方向と平行に並び、前記磁束が誘導電力伝達に使用される、ステップと、
前記強磁性材料の第１の側面上の第１の領域から、前記強磁性材料の第２の側面上の第２の領域まで前記強磁性材料の前記少なくとも１つのオリフィスを貫通させて第１の電気導管を延ばすステップであって、前記第２の側面は前記第１の側面とは反対側にあり、前記第１の電気導管は、前記第１の領域と前記第２の領域との間で前記第１の電気導管に沿って流れる第１の交流を有するように構成される、ステップと、
前記強磁性材料の前記第１の側面上の前記第１の領域から、前記強磁性材料の前記第２の側面上の前記第２の領域まで第２の電気導管を延ばすステップであって、前記第２の電気導管が、前記第１の領域と前記第２の領域との間で前記第２の電気導管に沿って流れる第２の交流を有するように構成される、ステップと
を含み、
前記第１の電気導管および前記第２の電気導管がどちらも、前記少なくとも１つのオリフィスの切れ目のない単一のオリフィスを貫通して延び、前記切れ目のない単一のオリフィスは、各々が前記第１の電気導管および前記第２の電気導管のうちの一方を含む、２つの第１の部分と、前記２つの第１の部分間に延びる第２の部分とを含むか、
または、前記第２の電気導管が前記強磁性材料を貫通しては延びず、前記少なくとも１つのオリフィスが、前記第１の電気導管を含む細長いオリフィスを含み、前記細長いオリフィスが、前記第１の電気導管と前記強磁性材料のエッジとの間の前記強磁性材料にわたって延びる、
方法。
【請求項１４】
前記強磁性材料を提供するステップは、前記強磁性材料の一部分内で前記少なくとも１つのオリフィスをカッティングすることを含むか、
前記強磁性材料を提供するステップは、前記強磁性材料のタイルを組み立てることと、非強磁性材料によってタイルを互いに機械的に結合することとを含むか、または
前記少なくとも１つのオリフィスが非強磁性材料を含む、
請求項１３に記載の方法。
【請求項１５】
前記切れ目のない単一のオリフィスの前記第２の部分が、前記２つの第１の部分のいずれかよりも狭い幅を有する、請求項１２から１４のいずれか一項に記載の方法。